(57)【要約】【課題】飲料容器用栓体の蓋開閉ボタンの係止部と蓋の上下の重なり範囲や、案内部と対向端部の接触範囲に頼らずに、ボタンロックがロック位置にある状態で蓋開閉ボタンの進退方向に対する左右への傾き発生を防ぐ。【解決手段】ボタンロック６がロック位置にある状態で蓋開閉ボタン５の左右両側が受け部６１ａ，６１ｂで支持されるようにし、蓋開閉ボタン５を押す衝撃力が加えられても、その左右他方側が一方側に比して大きく押し込まれないようにした。蓋開閉ボタン５の上部を支持することによりボタン上部の係止部５１が外れることを効果的に防止した。ボタンロック６の受け部６１ａ，６１ｂを連通部６３で一連に左右同方向に移動させ、ロック解除位置で逃げ壁面６３ａ，６３ｂにより蓋開閉ボタン５の後退空間を形成することにより、一方向のボタンロック操作でロックやロック解除を行うことができるようにした。【選択図】図１
2010241461.tif 000002
【特許請求の範囲】
【請求項１】
飲料用容器に装着する肩カバーと、該肩カバーにヒンジを介して開閉可能に取り付けられた蓋と、前記肩カバーの側周に組み込まれた蓋開閉ボタンと、前記肩カバーに組み込まれたボタンロックとを備え、前記蓋開閉ボタンを押すことにより該蓋開閉ボタンの係止部が前記蓋から外れて該蓋の開放回転が可能となり、前記蓋開閉ボタンの進退方向に対する左右への傾きは、該蓋開閉ボタンの左右両側に設けられた対向端部と前記肩カバーの案内部との接触により防止されており、前記ボタンロックは、前記蓋開閉ボタンを後方から支持する受け部を有し、かつ該受け部が該蓋開閉ボタンの後退空間から左右一方側へ退避したロック解除位置と、前記係止部が前記蓋を係止する状態で該受け部が該後退空間に左右一方側から進出したロック位置との間を進退可能に設けられており、前記ロック位置で前記受け部が前記蓋開閉ボタンの後退を阻止することにより前記係止部が前記蓋から外れることを防ぐ飲料容器用栓体において、
前記ボタンロックは、前記ロック位置で前記蓋開閉ボタンの左右両側を支持するように前記受け部を設けられていることを特徴とする飲料容器用栓体。
【請求項２】
前記ボタンロックは、前記蓋開閉ボタンの左側を支持する第１の前記受け部と、該蓋開閉ボタンの右側を支持する第２の前記受け部と、両受け部を左右同方向に一連に移動させる連通部と、前記ロック解除位置で前記蓋開閉ボタンの後退空間を形成する逃げ壁面とを有する請求項１に記載の飲料容器用栓体。
【請求項３】
前記蓋開閉ボタンの後端と前記肩カバーとの間に組み込まれた復帰コイルばねを備え、前記ボタンロックは、前記第１の受け部と前記第２の受け部を前記肩カバーの反蓋開閉ボタン側を回り込む前記連通部で一連にする有端環状に設けられ、かつ前記復帰コイルばねの左右両側で分断されている請求項２に記載の飲料容器用栓体。
【請求項４】
前記ボタンロックは、前記蓋開閉ボタンの後方を通過する前記連通部で前記第１の受け部と前記第２の受け部を一連にするように設けられている請求項２に記載の飲料容器用栓体。
【請求項５】
前記係止部は、前記蓋開閉ボタンの上部に設けられており、前記受け部は、前記蓋開閉ボタンを上部で支持するように設けられている請求項１〜４のいずれか１項に記載の飲料容器用栓体。
【請求項６】
前記受け部は、前記肩カバーに設けられた前記飲料用容器との嵌合壁部に対して前記蓋開閉ボタンの左右両側を支持するように設けられている請求項１〜５のいずれか１項に記載の飲料容器用栓体。
【発明の詳細な説明】
【技術分野】
【０００１】
この発明は、飲料用容器に装着する肩カバーにヒンジを介して蓋を開閉可能に取り付けた飲料容器用栓体に関する。
【背景技術】
【０００２】
この種の飲料容器用栓体として、肩カバーの側周に組み込まれた蓋開閉ボタンを備え、蓋開閉ボタンを押すことにより蓋開閉ボタンの係止部が蓋から外れて蓋の開放回転が可能となり、蓋開閉ボタンの進退方向に対する左右への傾きが蓋開閉ボタンの左右両側に設けられた対向端部と肩カバーの案内部との接触により防止されているものがある。
【０００３】
蓋開閉ボタンが肩カバーの側周に位置するため、不意に他の物と蓋開閉ボタンの衝突が起こり、蓋が開放回転し得る。これを防ぐべく、肩カバーにボタンロックを組み込むことが行われている。ボタンロックは、蓋開閉ボタンを後方から支持する受け部を有し、かつ受け部が蓋開閉ボタンの後退空間から左右一方側へ退避したロック解除位置と、蓋開閉ボタンの係止部が蓋を係止する状態で受け部が蓋開閉ボタンの後方に左右一方側から進出したロック位置との間を進退可能に設けられている。ロック位置では、受け部が蓋開閉ボタンの後退を阻止することにより係止部が蓋から外れることを防ぐようになっている（特許文献１）。
【先行技術文献】
【特許文献】
【０００４】
【特許文献１】特開２００６−１４１７９９号公報
【発明の概要】
【発明が解決しようとする課題】
【０００５】
特許文献１に開示された飲料容器用栓体は、ボタンロックの受け部を蓋開閉ボタンの左右一方側のみを支持するように設けられている。蓋開閉ボタンの進退方向に対する左右への傾きは、肩カバーの案内部と蓋開閉ボタンの対向端部との接触により防止されている。しかし、量産化に際しては、案内部と対向端部との間に成形誤差を吸収する余裕をもった間隔が設定されている。このため、量産品の中には、案内部と対向端部間の対向間隔が標準よりも広がり、比較的に蓋開閉ボタンが左右へ傾き易いものが生じ得る。このような栓体を飲料用容器に装着した飲料容器が転倒ないし落下し、蓋開閉ボタンが他の物体に衝突したとき、ボタンロックの支持のない蓋開閉ボタンの左右他方側が大きく押し込まれ、蓋開閉ボタンが左右他方側へ傾く挙動や捻れるような撓み変形を生じ得る。これら挙動・変形の結果、蓋開閉ボタンの係止部における左右他方側への傾き具合によっては、係止部が蓋から外れる恐れがある。従来、係る挙動・変形による蓋開閉ボタンの傾きは、係止部と蓋の上下の重なり範囲を蓋開閉ボタンの進退方向に十分に確保したり、案内部と対向端部の接触範囲を進退方向に長くしたりすることにより蓋開閉ボタンの左右への傾き防止性能を十分に高めることができたため、問題とならなかった。
【０００６】
しかしながら、本願出願人は、飲料容器用栓体の仕様によっては、係止部と蓋の上下の重なり範囲や案内部と対向端部の接触範囲を十分に確保することができない場合が起り得、この場合には、係る挙動・変形による蓋開閉ボタンの傾きが問題化することに気付いた。
【０００７】
上述の事情に鑑み、この発明の課題は、飲料容器用栓体の蓋開閉ボタンの係止部と蓋の上下の重なり範囲や、案内部と対向端部の接触範囲に頼らずに、ボタンロックがロック位置にある状態で蓋開閉ボタンの進退方向に対する左右への傾き発生を防ぐことにある。
【課題を解決するための手段】
【０００８】
上記課題を解決するため、この発明は、飲料用容器に装着する肩カバーと、該肩カバーにヒンジを介して開閉可能に取り付けられた蓋と、前記肩カバーの側周に組み込まれた蓋開閉ボタンと、前記肩カバーに組み込まれたボタンロックとを備え、前記蓋開閉ボタンを押すことにより該蓋開閉ボタンの係止部が前記蓋から外れて該蓋の開放回転が可能となり、前記蓋開閉ボタンの進退方向に対する左右への傾きは、該蓋開閉ボタンの左右両側に設けられた対向端部と前記肩カバーの案内部との接触により防止されており、前記ボタンロックは、前記蓋開閉ボタンを後方から支持する受け部を有し、かつ該受け部が該蓋開閉ボタンの後退空間から左右一方側へ退避したロック解除位置と、前記係止部が前記蓋を係止する状態で該受け部が該後退空間に左右一方側から進出したロック位置との間を進退可能に設けられており、前記ロック位置で前記受け部が前記蓋開閉ボタンの後退を阻止することにより前記係止部が前記蓋から外れることを防ぐ飲料容器用栓体において、前記ボタンロックは、前記ロック位置で前記蓋開閉ボタンの左右両側を支持するように前記受け部を設けられている構成を採用した。ここで、左右方向は、水平面上で考えて、蓋開閉ボタンの進退方向を前後方向としたとき、この前後方向に直交する方向をいう。
【０００９】
この発明の構成によれば、ボタンロックがロック位置にある状態で蓋開閉ボタンの左右両側が受け部で支持されるため、蓋開閉ボタンに衝撃力が加えられても、左右他方側が一方側に比して大きく押し込まれることが抑制される。したがって、この発明は、左右一方側のみを支持する従来例と比して、蓋開閉ボタンの進退方向に対する左右への傾きを防ぐことができる。
【００１０】
具体的には、前記ボタンロックは、前記蓋開閉ボタンの左側を支持する第１の前記受け部と、該蓋開閉ボタンの右側を支持する第２の前記受け部と、両受け部を左右同方向に一連に移動させる連通部と、前記ロック解除位置で前記蓋開閉ボタンの後退空間を形成する逃げ壁面とを有する構成を採用することができる。
【００１１】
連通部を上述のように形成すれば、蓋開閉ボタンの左右を支持する両受け部を一連に左右同方向に移動させることができる。その代わり、両受け部のうち少なくとも一方はロック解除位置にある状態でも蓋開閉ボタンの後方に位置することになる。ロック解除位置で逃げ壁面により蓋開閉ボタンの後退空間を形成すれば、ボタンロックが蓋開閉ボタンを押すことの支障にならない。したがって、一方向のボタンロック操作で両受け部によるロックやロック解除を行うことができる。
【００１２】
より具体的には、前記蓋開閉ボタンの後端と前記肩カバーとの間に組み込まれた復帰コイルばねを備え、前記ボタンロックは、前記第１の受け部と前記第２の受け部を前記肩カバーの反蓋開閉ボタン側を回り込む前記連通部で一連にする有端環状に設けられ、かつ前記復帰コイルばねの左右両側で分断されている構成を採用することができる。
【００１３】
押し操作がなくなると蓋開閉ボタンが自動的に待機位置に復帰するようにするため、従来、蓋開閉ボタンの後端と肩カバーとの間に復帰コイルばねが組み込まれている。この方式を採用すると、蓋開閉ボタンの後面にばね受けや肩カバーとの係合構造を複雑に形成することになる。ボタンロックを上述のように有端環状に設け、復帰コイルばねの左右両側で分断すれば、蓋開閉ボタンの後方を通過する連通部をもったボタンロックと比して、組立や蓋開閉ボタンの配置に際し、ボタンロックが邪魔にならない。
【００１４】
勿論、前記ボタンロックは、前記蓋開閉ボタンの後方を通る前記連通部で前記第１の受け部と前記第２の受け部を一連にするように設けられている構成を採用することもできる。この手段は、上述の有端環状のボタンロックと比して、ボタンロックを側周方向に小型化することを優先する場合に好適である。
【００１５】
なお、ボタンロックは、両受け部を左右同方向に一連に移動させることができる限り、一部材又は複数の部材の結合体から構成することができる。
【００１６】
前記係止部は、前記蓋開閉ボタンの上部に設けられており、前記受け部は、前記蓋開閉ボタンを上部で支持するように設けられている構成を採用することが好ましい。なるべく係止部の近くで蓋開閉ボタンの左右両側を支持する方が係止部の変位防止に効果的だからである。
【００１７】
前記受け部は、前記肩カバーに設けられた前記飲料用容器との嵌合壁部に対して前記蓋開閉ボタンの左右両側を支持するように設けられている構成を採用することが好ましい。
【００１８】
肩カバーの嵌合壁部は飲料用容器に嵌合された状態で容器側と一体で強度を発揮する。係る嵌合壁部に対して蓋開閉ボタンを支持するようにすれば、受け部単独で支持する場合よりも受け部を小型化しつつ支持強度を高めることができる。ここで、嵌合壁部に対して支持するとは、ロック位置で受け部が蓋開閉ボタンと嵌合壁部との間に介在する状態に限定されず、前記のように係止部の外れを防止するのに有効な限り、受け部が蓋開閉ボタンや嵌合壁部との間に間隙をもって存在する態様をも含む意味である。例えば、成形誤差や組立て性を考慮した適宜の間隔を設定することが挙げられる。
【発明の効果】
【００１９】
上述のように、この発明によれば、ロック位置で前記蓋開閉ボタンの左右両側を支持するように前記受け部を設けられた前記ボタンロックの採用により、飲料容器用栓体の蓋開閉ボタンの係止部と蓋の上下の重なり範囲や、案内部と対向端部の接触範囲に頼らずに、ボタンロックがロック位置にある状態で蓋開閉ボタンの進退方向に対する左右への傾き発生を防ぐことができる。
【図面の簡単な説明】
【００２０】
【図１】ａは第１実施形態に係る飲料容器用栓体の要部をボタンロックがロック位置にある状態で示した水平断面図、ｂは同要部をボタンロックがロック解除位置にある状態で示した水平断面図
【図２】第１実施形態を蓋が閉位置にある状態で示す縦断右側面図
【図３】第１実施形態を蓋が開閉回転の途中位置にある状態で示す全体斜視図
【図４】第１実施形態を蓋が開放停止位置にある状態で示す要部縦断右側面図
【図５】第１実施形態を蓋が第２の回転規制を受ける状態で示す要部縦断右側面図
【図６】第１実施形態の肩カバーの分解斜視図
【図７】ａは第１実施形態の蓋開閉ボタンの前面図、ｂは前記ａのｂ−ｂ線の断面図、ｃは前記ａの後面図、ｄは前記ａの左斜め上前方からの全体斜視図、ｅは前記ａの右斜め上後方からの全体斜視図
【図８】第１実施形態の肩カバーの要部前面図
【図９】ａは第２実施形態の要部をボタンロックがロック位置にある状態で示した水平断面図、ｂは同要部をボタンロックがロック解除位置にある状態で示した水平断面図
【図１０】第２実施形態の肩カバーの要部前面図
【発明を実施するための形態】
【００２１】
以下、この発明の第１実施形態に係る飲料容器用栓体（以下、単に「第１実施形態」と称する）は、図１〜図４に示すように、飲料用容器１に装着する肩カバー２と、肩カバー２にヒンジ３を介して開閉可能に取り付けられた蓋４と、肩カバー２の側周に組み込まれた蓋開閉ボタン５と、肩カバー２に組み込まれたボタンロック６とを備えている。蓋開閉ボタン５を押すことにより蓋開閉ボタン５の係止部５１が蓋４の掛かり部４１の上方から外れて蓋４の開放回転が可能となる。ここで、上下の概念は、蓋４が閉位置にある状態で肩カバー２を取り付けた飲料用容器１を水平面に立てた状態を考えたときの上下をいう。蓋開閉ボタン５の進退方向に対する左右への傾きは、蓋開閉ボタン５の左右両側に設けられた対向端部５２ａ，５２ｂと肩カバー２の案内部２１ａ、２１ｂとの接触により防止されている。ボタンロック６は、蓋開閉ボタン５を後方から支持する受け部６１ａ、６１ｂを有し、かつ受け部６１ａ、６１ｂが蓋開閉ボタン５の後退空間から左右一方側へ退避したロック解除位置と、係止部５１が蓋４を係止する状態で受け部６１ａ、６１ｂが蓋開閉ボタン５の後方に左右一方側から進出したロック位置との間を進退可能に設けられている。
【００２２】
具体的には、飲料用容器１は、肩部よりも小径の口部を上面に有している。例えば、飲料用容器１として真空二重容器に代表される断熱容器を採用することができる。なお、この発明は、特に落下、転倒の起り易い４リットル以下の携帯容量の飲料用容器１に好適である。
【００２３】
肩カバー２は、飲料用容器１の側周外面にねじ嵌合される嵌合壁部２２と、飲料用容器１内に連通する流路２３とを有する。流路２３の出口は、適宜に飲み口やストロー等にすることができる。
【００２４】
肩カバー２の一端側に、ヒンジ３が設けられている。蓋４は、流路２３の出口を覆うカップ状とされ、ヒンジ３の軸部を介して肩カバー２に装着されている。蓋４は、図２に示すように、閉位置にある状態で流路２３の出口の内周上端部よりも低くなる下端周縁部をもつ。
【００２５】
蓋４の下面にゴムパッキン４２が設けられている。ゴムパッキン４２は、蓋４の下面に突き出た軸部に嵌める摘み部と、蓋４の閉成回転により流路２３の出口を形成する筒状突壁に上から押し付けられるシール部とを有している。ゴムパッキン４２は、蓋４の閉成回転により肩カバー２のシール面に押し付けられ、蓋開閉ボタン５の係止部５１が蓋４の開放回転を規制する状態で流路２３を水密に密封する。この規制位置が蓋４の閉位置となる。
【００２６】
肩カバー２と蓋４との間には、蓋４の開放停止位置からの閉成回転により蓋４を開放停止位置まで開放回転させる反発力を蓄積する弾性部材７を設けることができる。蓋４の開放停止位置は、図４中に実線で示すように、流路２３の出口の上方から退避し、肩カバー２の抵抗ブレーキ部２５を乗り越えた位置に設定されている。
【００２７】
蓋開閉ボタン５は、肩カバー２の他端側に組み込まれている。蓋開閉ボタン５は、水平面で考えて、肩カバー２に対してヒンジ３の水平回転軸に沿った左右方向と直交する前後方向に進退可能に設けられている。蓋開閉ボタン５の係止部５１は、蓋４の閉成回転により蓋４の内側に設けられた掛かり部４１と掛かり合うように設けられている。係止部５１は、蓋開閉ボタン５のうち左右方向の中央部に設けられている。これにより、蓋４の経年変形が防止されている。蓋開閉ボタン５の後端と肩カバー２の嵌合壁部２２の前端との間に、復帰コイルばね８が組み込まれている。嵌合壁部２２から前方に復帰コイルばね８のばね保持部が延びている。蓋開閉ボタン５と肩カバー２は、復帰コイルばね８の弾性反発で待機位置から抜け出ないよう係合部５３ａ，５３ｂ、２４ａ、２４ｂをもっている。蓋開閉ボタン５の待機位置は、係合部５３ａ，５３ｂと係合部２４ａ、２４ｂとが掛かり合う位置である。復帰コイルばね８は、操作力を付与されない状態で蓋開閉ボタン５を待機位置に維持する。
【００２８】
図６〜図８に示すように、肩カバー２は、蓋開閉ボタン５の組み込み空間となる凹部を有する。肩カバー２の凹部は、肩カバー２の側周一部を他の側周部分よりも蓋開閉ボタン５の後退方向に凹ますことで形成されている。肩カバー２の凹部の左右両内側壁は、肩カバー２の案内部２１ａ、２１ｂとなっている。蓋開閉ボタン５の前端に操作力付与部が設けられている。蓋開閉ボタン５の対向端部５２ａ，５２ｂは、蓋開閉ボタン５の前端左右最大幅部の両端から後方に上下方向に幅をもって延びている。さらに、蓋開閉ボタン５は突条部５４を有し、肩カバー２は溝部２６を有する。突条部５４は、進退ストロークの全域で溝部２６内に位置し、蓋開閉ボタン５の上下のがたつきを防止する。なお、突条部５４は、蓋開閉ボタン５が待機位置にある状態で殆ど溝部２６内に挿入されておらず、上述の衝撃時における蓋開閉ボタン５の傾き防止に有効でない。突条部５４や対向端部５２ａ，５２ｂを前後方向に長くすることは、蓋開閉ボタン５の進退ストロークを同じだけ確保すると、蓋開閉ボタン５や肩カバー２の側周の部分的な前方突出を招くことになり、限界がある。
【００２９】
図３、図４に示すように蓋開閉ボタン５が待機位置にある状態で、開放停止位置から蓋４を閉成回転させると、蓋４の掛かり部４１が蓋開閉ボタン５の係止部５１の上端に形成されたカム面と接触し、この接触で生じた分力で復帰コイルばね８に抗して蓋開閉ボタン５が押し込まれる。やがて、蓋４が閉位置を過ぎ、かつ掛かり部４１が前記カム面を通過すると、図２に示すように、復帰コイルばね８の反発で蓋開閉ボタン５が待機位置に向かって復帰させられ、係止部５１と掛かり部４１とが弾性部材７及びゴムパッキン４２の反発に抗して掛かり合う。このように、蓋開閉ボタン５は、蓋４が閉位置を過ぎると自動的に閉位置を超える開放回転を規制する状態になる（以下、この規制を「第１の回転規制」と称する）。ボタンロック６がロック解除位置にある状態で、蓋開閉ボタン５を押すことにより係止部５１が掛かり部４１の上方から外れ、第１の回転規制が解除される。その結果、弾性部材７及びゴムパッキン４２の弾性反発により蓋４が開放回転させられる。
【００３０】
さらに、蓋開閉ボタン５は、図３、図５、図７に示すように、蓋４の内側に設けられた第２の掛かり部４３と掛かり合う第２の係止部５５を上面に設けられている。第２の掛かり部４３と、第２の係止部５５とは、閉位置から開放回転させられる蓋４を一時停止させる第２の回転規制を行うために設けられている。なお、第２の掛かり部４３と第２の係止部５５は、省略することができる。
【００３１】
第２の掛かり部４３は、掛かり部４１よりもヒンジ３の軸部回りの回転半径が小さくなるように設けられている。第２の係止部５５は、係止部５１よりも後方方向に寄った位置に設けられている。第２の係止部５５及び第２の掛かり部４３は、それぞれ左右方向で考えて係止部５１及び掛かり部４１の両側に設けられている。これらの位置関係を利用することにより、第１の回転規制の解除操作を終える位置で第２の係止部５５と第２の掛かり部４３とが掛かり合うようになっている。すなわち、係止部５１と掛かり部４１との掛かり合いが外れる前に、第２の係止部５５が第２の掛かり部４３との掛かり合い可能な位置に移動する。このとき、第２の係止部５５は、閉位置にある蓋４の第２の掛かり部４３と比して開放回転を許す高低差をもっている。このため、第１の回転規制の解除操作を終える位置で、第２の掛かり部４３と第２の係止部５５とは、弾性部材７の弾性反発に抗して掛かり合う。このように、閉位置から開放回転させられる蓋４を一時停止させる第２の回転規制を行うことができる。
【００３２】
蓋開閉ボタン５の押し操作が継続される間、第２の掛かり部４３と第２の係止部５５との掛かり合いが維持されるため、第２の回転規制が行われる。第２の回転規制が行われた状態で、蓋４の回転位置は、蓋開閉ボタン５の待機位置への復帰移動を許す位置になっている。このため、蓋開閉ボタン５の押し操作を止めると、復帰コイルばね８の弾性反発により蓋開閉ボタン５が待機位置に向かって復帰させられる。やがて第２の係止部５５が第２の掛かり部４３の上方から外れると、弾性部材７の弾性反発により蓋４が開放停止位置まで開放回転させられる。
【００３３】
第２の回転規制は、ゴムパッキン４２の密封がなくなり、かつ蓋４が流路２３の出口の上方を覆う回転位置であって、蓋４の下端周縁部が流路２３の出口の内周上端部よりも低い回転位置で行われる。第１の回転規制で蓋４が閉位置にあり、飲料用容器１の内外に気圧差がある状態で、蓋開閉ボタン５が解除操作を受けると、弾性部材７等の反発力を受けた蓋４が閉位置から開放回転させられ、ゴムパッキン４２の密封がなくなり、流路２３の出口からの噴出が始まる。この噴出開始後、第２の回転規制が行われる結果、開放回転させられる蓋４が流路２３の出口の上方を覆う回転位置に一時停止させられる。この一時停止は、蓋開閉ボタン５の押し操作を止めない限り継続される。このため、蓋開閉ボタン５の押し操作を止めて第２の係止部５５が第２の掛かり部４３から外れるまでの間に飲料用容器１内の減圧が進む。この減圧中、流路２３の出口から飲料が吹き飛ばされても、その上方を蓋４が覆うため、飲料が周囲へ飛び散り難い。また、第１の回転規制のみの場合と比して、第２の回転規制により蓋４の開放回転の勢いが弱まるため、第２の回転規制の解除後の蓋４の開放回転により蓋４の下面に付着した飲料も飛び散り難い。蓋４が開放停止位置に止まるときの反動も小さくなるため、蓋４に付着した飲料も停止時に飛び散り難くなる。その反動を小さくするために開放停止位置と第２の回転規制の回転位置との間で蓋４と接触し、その回転速度を減速させる抵抗ブレーキ部２５の負担も減る。
【００３４】
図１、図６に示すように、肩カバー２は、嵌合壁部２２を有する内カバー部材２ａと、内カバー部材２ａと上下に結合される外カバー部材２ｂとを有する。両カバー部材２ａ，２ｂを上下に結合した状態で、嵌合壁部２２と外カバー部材２ｂの側周との間に環状空間２７が形成される。環状空間２７は、有端環状のボタンロック６の組み込み空間となっている。両カバー部材２ａ、２ｂを分離した状態で外カバー部材２ｂのボタンロック支持部２８にボタンロック６を載せ、外カバー部材２ｂを被せることにより、ボタンロック６が肩カバー２の環状空間２７内に組み込まれる。このように肩カバー２を上下分割構造にすることにより、有端環状のボタンロック６の組み込みを可能にしている。
【００３５】
図１、図３、図６に示すように、ボタンロック６は、肩カバー２の操作窓から露出するロック操作部６２を有する。ボタンロック６は、第１の受け部６１ａと第２の受け部６１ｂを肩カバー２の蓋開閉ボタン５側から反蓋開閉ボタン側を回り込む連通部６３で一連にする有端環状に設けられている。受け部６１ａ，６１ｂは、有端環状の端部になっている。これは、ボタンロック６の冗長化を避けるためである。受け部６１ａ，６１ｂを端部にする必要はなく、蓋開閉ボタン５の後退や各部品の組み込みに支障がない限り、受け部６１ａからボタンロック６の端部を延長することもできる。例えば、ボタンロック６の位置決めのため、嵌合壁部２２に突き当たる端部を延長することもできる。
【００３６】
図１、図６、図８に示すように、有端環状のボタンロック６は、復帰コイルばね８の左右両側で分断されている。このため、ボタンロック６を肩カバー２に組み込み後、蓋開閉ボタン５及び復帰コイルばね８の配置や組み込む際に、ボタンロック６が邪魔にならない。
【００３７】
蓋開閉ボタン５が第１の回転規制位置にあるとき、ボタンロック６は、ロック操作部６２を肩カバー２の側周に沿って動かすことにより、蓋開閉ボタン５の後退空間を含む環状空間２７内でロック位置とロック解除位置との間を回動可能になっている。蓋開閉ボタン５の後退空間は、蓋４の開放回転が可能となる第１の回転規制が解除されるまでの間に蓋開閉ボタン５が通る空間である。
【００３８】
ボタンロック６は、ロック位置で蓋開閉ボタン５の左右両側を支持するように受け部６１ａ、６１ｂを設けられている。ロック位置での受け部６１ａ、６１ｂの左右両支持により、蓋開閉ボタン５の後退が阻止されるので、係止部５１が蓋４の掛かり部４１の上方から外れることが防止される。蓋開閉ボタン５と肩カバー２間の位置決め構造に割れ、塑性変形といった破壊が生じない限り、蓋開閉ボタン５の進退方向に対する左右への傾きは、係止部５１による蓋係止が維持される範囲に留まる。
【００３９】
具体的には、ボタンロック６は、蓋開閉ボタン５の左側を支持する第１の受け部６１ａと、蓋開閉ボタン５の右側を支持する第２の受け部６１ｂと、両受け部６１ａ，６１ｂを左右同方向に一連に移動させる連通部６３とを有する。
【００４０】
ボタンロック６をロック解除位置からロック回転させると、両受け部６１ａ，６１ｂは、蓋開閉ボタン５の後退空間に左右一方側から進出する（図１中では、右側から左側へ進出する）。このようにロック位置に至った受け部６１ａ，６１ｂは、嵌合壁部２２と対向端部５２ａ，５２ｂの後端との間に位置し、蓋開閉ボタン５の左右両側を支持する。
【００４１】
図１（ａ）に示すように、ボタンロック６がロック位置にある状態で、蓋開閉ボタン５の左右両側は、受け部６１ａ，６１ｂにより同一円周上で支持される。このため、蓋開閉ボタン５に衝撃力が加えられても、蓋開閉ボタン５の左右他方側が一方側に比して大きく押し込まれることはない。したがって、第１実施形態は、左右一方側のみを支持する従来例と比して、蓋開閉ボタン５の進退方向に対する左右への傾きを確実に防ぐことができる。
【００４２】
ここで、受け部６１ａ，６１ｂで対向端部５２ａ，５２ｂの後端を支持するのは、蓋開閉ボタン５の最大左右幅部の後端であり、蓋開閉ボタン５の左右への傾きを受け部６１ａ，６１ｂの支持で防ぐのに最も効果的だからである。蓋開閉ボタン５の他の後端部分で支持することもできる。
【００４３】
また、図８中に隠れ線で示した受け部６１ａ，６１ｂと、二点鎖線で示した蓋開閉ボタン５との関係から明らかなように、受け部６１ａ，６１ｂは、蓋開閉ボタン５を上部で支持するように設けられている。このため、第１実施形態は、蓋開閉ボタン５の上部に設けられた係止部５１の近くで支持することになり、図２に示す係止部５１が蓋４の掛かり部４１の上方から外れる変位を効果的に防止することができる。
【００４４】
また、図１（ａ）に示すように、受け部６１ａ，６１ｂは、嵌合壁部２２に対して蓋開閉ボタン５の左右両側を支持するように設けられている。飲料用容器１と一体で強度を発揮するため、第１実施形態は、受け部６１ａ，６１ｂ単独で支持する場合よりも受け部６１ａ，６１ｂを小型化しつつ支持強度を高めることができる。
【００４５】
図１（ｂ）に示すように、ボタンロック６をロック位置からロック解除回転させると、受け部６１ａ，６１ｂが蓋開閉ボタン５の後退空間から左右一方側へ退避する（図１中では、左側から右側へ退避する）。このようにロック解除位置に至った受け部６１ａ，６１ｂは、蓋開閉ボタン５の後退を阻止しない。
【００４６】
ボタンロック６は、両受け部６１ａ，６１ｂのうちロック解除位置で蓋開閉ボタン５の後方に位置する受け部６１ａ，６１ｂのそれぞれの左右一方側の端から後退した逃げ壁面６３ａ，６３ｂを有する。ロック解除位置で蓋開閉ボタン５の後退空間（特に対向端部５２ａ，５２ｂ用の後退空間）が逃げ壁面６３ａ，６３ｂにより形成される。したがって、図１（ｂ）中に二点鎖線で示すように、ボタンロック６がロック解除位置にある状態で蓋開閉ボタン５を押すことができる。
【００４７】
上述のように、逃げ壁面６３ａを有する連通部６３で両受け部６１ａ，６１ｂを一連に動かせるため、第１実施形態は、一方向のボタンロック操作で両受け部６１ａ，６１ｂによるロック及びロック解除を行うことができる。ボタンロック６を蓋開閉ボタン５の左側に設ける場合は、上述の左右と回転関係を逆にすればよい。例えば、ロック解除位置で受け部６１ｂを蓋開閉ボタン５の後方に位置させる場合は、受け部６１ａ側の場合と同じように逃げ壁面を形成すればよい。なお、ボタンロック６は、ロック位置及びロック解除位置間の移動を自然に生じないよう肩カバー２との間に移動抵抗となる係合部を有する。このような係合部は従来周知のものを適宜に採用することができる。
【００４８】
この発明の第２実施形態に係る飲料容器用栓体（以下、単に「第２実施形態」と称する）を図９、１０に基いて説明する。以下、第１実施形態との相違点のみを述べ、同一に考えられる構成の説明を省略する。図示のように、第２実施形態のボタンロック１０は、蓋開閉ボタン５の後方を通る連通部１１で第１の受け部６１ａと第２の受け部６１ｂを一連にするように設けられている。なお、図１０では蓋開閉ボタン５の図示を省略した。連通部１１は、両受け部６１ａ，６１ｂ間で蓋開閉ボタン５の対向端部５２ｂの後退空間を形成するため、逃げ壁面６３ｂの後端から同一円周上に沿うように設けられている。上述のような第２実施形態は、第１実施形態と比してボタンロック１０を肩カバー２の側周方向に小型化することができる。
【００４９】
この発明の範囲は、上述の実施形態に限定されず、特許請求の範囲の記載と均等の範囲内での全ての変更を含むものである。例えば、蓋開閉ボタン５は、上記特許文献１のもののように、押し操作で後退する蓋開閉ボタンの下端を肩カバーに引っ掛かるようにして蓋開閉ボタンの上部を後方に倒す方式を採用することもできる。
【符号の説明】
【００５０】
１  飲料用容器
２  肩カバー
２ａ  内カバー部材
２ｂ  外カバー部材
３  ヒンジ
４  蓋
５  蓋開閉ボタン
６，１０  ボタンロック
７  弾性部材
８  復帰コイルばね
２１ａ、２１ｂ  案内部
２２  嵌合壁部
２３  流路
２４ａ、２４ｂ  係合部
２５  抵抗ブレーキ部
２６  溝部
２７  環状空間
２８  ボタンロック支持部
４１  掛かり部
４２  ゴムパッキン
４３  第２の掛かり部
５１  係止部
５２ａ、５２ｂ  対向端部
５３ａ、５３ｂ  係合部
５４  突条部
５５  第２の係止部
６１ａ、６１ｂ  受け部
６２  ロック操作部
６３，１１  連通部
６３ａ，６３ｂ  逃げ壁面
【図１】
2010241461.tif 000003
【図２】
2010241461.tif 000004
【図３】
2010241461.tif 000005
【図４】
2010241461.tif 000006
【図５】
2010241461.tif 000007
【図６】
2010241461.tif 000008
【図７】
2010241461.tif 000009
【図８】
2010241461.tif 000010
【図９】
2010241461.tif 000011
【図１０】
2010241461.tif 000012